(57)【要約】【課題】信号の分割により専用の伝送機構を用いることなく信号を伝送する電子機器を提供する。【解決手段】実施形態の電子機器は、信号分割手段と、所定数の出力ポートと、を具備する。信号分割手段は、入力信号を受けつけ、受けつけた前記入力信号を所定数に分割する。所定数の出力ポートは、前記信号分割手段が前記所定数に分割した前記入力信号と自らのポートの物理アドレスを示す情報とを、前記信号分割手段による分割時の前記所定数に対応する数の双方向通信インタフェースに対して出力する。【選択図】図１
2015106825.tif 000002
【特許請求の範囲】
【請求項１】
入力信号を受けつけ、受けつけた前記入力信号を所定数に分割する信号分割手段と、
前記信号分割手段が前記所定数に分割した前記入力信号と自らのポートの物理アドレスを示す情報とを、前記信号分割手段による分割時の前記所定数に対応する数の双方向通信インタフェースに対して出力する前記所定数の出力ポートと、
を具備する電子機器。
【請求項２】
前記信号分割手段は、前記双方向通信インタフェースにより接続する相手方機器に、少なくとも、前記分割時の前記所定数、前記分割した前記入力信号の前記分割時の分割規則及び前記分割規則と前記出力ポートとの対応関係を、前記相手方機器に通知する請求項１の電子機器。
【請求項３】
前記信号分割手段は、前記双方向通信インタフェースにより接続する相手方機器から前記分割した前記入力信号を受けつけ可能であることを示す情報を取得する請求項１の電子機器。
【請求項４】
前記所定数は、前記分割手段による前記入力信号の分割により前記双方向通信インタフェースが前記入力信号を伝送可能となる最小分割数を含む請求項１−３のいずれかの電子機器。
【請求項５】
前記所定数は、前記分割手段による前記入力信号の分割により前記双方向通信インタフェースが前記入力信号を伝送可能となる前記最小分割数の倍数を含む請求項４の電子機器。
【請求項６】
所定数に分割され、出力時の出力ポートの物理アドレスを示す情報をそれぞれ含む入力信号を前記所定数のポートで受けつけ、少なくとも前記入力信号の前記所定数の分割数及び分割規則を取得する取得手段と、
前記所定数に分割された入力信号を受けつけ、前記取得手段が取得した前記入力信号の前記分割数、前記分割規則及び前記物理アドレスを示す情報に基づいて、前記入力信号を合成する信号合成手段と、
を具備する電子機器。
【請求項７】
相手方機器から前記所定数の分割された前記入力信号の受けつけが可能であることを前記相手方機器による読み出しにより読み出し可能な情報保持手段（ＥＤＩＤ）をさらに具備する請求項６の電子機器。
【請求項８】
前記信号合成手段は、前記所定数の分割された前記入力信号を受けつける前記所定数と同じか前記所定数より多い入力ポートを具備する請求項６または７の電子機器。
【請求項９】
前記所定数のポートのうち何れかのポートで受信した物理アドレスと、前記所定数のポートのうち他のポートで受信した物理アドレスとの階層が異なる場合に通知を出力する通知手段とを更に備える、請求項６の電子機器。
【請求項１０】
入力信号を、所定数の双方向通信インタフェースを経由して分割して送信可能に分割し、
分割した入力信号を、出力時の出力ポートの物理アドレスを示す情報とともに所定数の双方向通信インタフェースに対して出力する信号伝送方法。
【発明の詳細な説明】
【技術分野】
【０００１】
この発明は、映像信号、オーディオ信号及び制御信号を伝送する信号伝送方法及びその信号伝送方法を実現する電子機器に関する。
【背景技術】
【０００２】
映像信号、オーディオ（音声）信号及び制御信号を伝送する方法及び規格として、ＨＤＭＩ（High-definition Digital Media Interface）（登録商標）規格及びＨＤＭＩケーブルが広く普及している。
【先行技術文献】
【特許文献】
【０００３】
【特許文献１】特開２０１３−６２５６２号公報
【発明の概要】
【発明が解決しようとする課題】
【０００４】
しかしながら、現行のフルハイビジョン（１９２０×１０８０）の４倍あるいは１６倍の帯域の信号を用いる新たな映像規格に適合する映像信号については帯域が不足する。一方で、専用の伝送規格及び伝送ケーブルを用いることは可能であるが、現行のＨＤＭＩ規格及び伝送ケーブルとの間の互換性はなくなってしまう。
【０００５】
この発明の目的は、現行の映像信号、オーディオ信号及び制御信号を伝送する規格及び伝送ケーブルにより、より高速に、より情報量の多い映像信号、オーディオ信号及び制御信号を、信号の分割により専用の伝送機構を用いることなく信号を伝送する信号伝送方法及びその信号伝送方法を実現する電子機器を提供することである。
【課題を解決するための手段】
【０００６】
実施形態の電子機器は、信号分割手段と、所定数の出力ポートと、を具備する。信号分割手段は、入力信号を受けつけ、受けつけた前記入力信号を所定数に分割する。所定数の出力ポートは、前記信号分割手段が前記所定数に分割した前記入力信号と自らのポートの物理アドレスを示す情報とを、前記信号分割手段による分割時の前記所定数に対応する数の双方向通信インタフェースに対して出力する。
【図面の簡単な説明】
【０００７】
【図１】実施形態に係る信号分割装置（アダプター）の一例を示す。
【図２】実施形態に係る信号分割装置とシンク機器との間の信号の受け渡しの一例を示す。
【図３】実施形態に係る信号分割装置の起動時の動作の一例を示す。
【図４】実施形態に係るシンク機器の起動時の動作の一例を示す。
【図５】実施形態に係る信号分割装置の起動時の動作の一例を示す。
【図６】実施形態に係るシンク機器の起動時の動作の一例を示す。
【図７】実施形態に係るシンク機器のＥＤＩＤの表記の一例を示す。
【図８】実施形態に係るアダプターが送信する「ＩｎｆｏＦｒａｍｅ」に該当するフォーマットの表記の一例を示す。
【発明を実施するための形態】
【０００８】
以下、図面を参照して、本発明の実施の一形態について説明する。
【０００９】
図１が示す電子機器（信号伝送アダプター機器、以下アダプターと称する）１０１は、ソース機器２０１からアダプター１０１へ入力する入力信号（映像信号、オーディオ信号及び制御信号）を所定数に分割する信号分割部１１１を含む。信号分割部１１１は、分割した出力をシンク機器３０１に出力するための所定数の現行規格（バージョン１．４ｂ）のＨＤＭＩ（High-definition Digital Media Interface，双方向通信インタフェース）ケーブル１，２，・・・，ｎ（ｎは、整数）が接続可能な、所定数の出力ポート１１１−１，１１１−２，・・・，１１１−ｎを含む。ＨＤＭＩケーブル１，２，・・・，ｎは、信号分割部（ＨＤＭＩ送信部）１１１（アダプター１０１）からの所定数の分割信号を、受信した所定数の分割信号を合成する信号合成部（ＨＤＭＩ受信部）３１１（シンク機器３０１）の所定数の入力ポート３１１−１，３１１−２，・・・，３１１−ｎ（ｎは、整数）に、入力（伝送）する。入力信号を分割する際の分割数については、後段に説明するが、分割すべき映像は、例えば現行のフルハイビジョン規格（画素数１９２０×１０８０、フレームレート（映像周波数）６０Ｈｚ（以下「＠６０Ｈｚ」）の映像と比較して、例えば２倍あるいは４倍の帯域の映像信号を用いる新たな映像規格に適合する映像信号である。帯域が２倍の映像信号における画素数は現行フルハイビジョンの４倍（３８４０×２１６０）であり、４ｋ映像と称される。また、帯域が４倍の映像信号における画素数は同フルハイビジョンの１６倍（７６８０×４３２０）であり、８ｋ映像と称される。
【００１０】
ソース機器２０１は、現行フルハイビジョン規格（画素数１９２０×１０８０＠６０Ｈｚ）の映像と比較して、例えば２倍あるいは４倍の帯域の映像信号を用いる新たな映像規格に適合する映像信号を処理可能で、専用伝送回線／出力インタフェースによりアダプター１０１へ上述の映像信号を出力する。映像信号には、音声信号や音響信号（ａｕｄｉｏ）が付属する場合もあるが、音声信号や音響信号の情報量（データサイズ）は映像信号に比較して少ない（小さい）。このため、現行の転送規格をそのまま利用可能である。もちろん、音声信号や音響信号についても、要求される品位に応じた帯域を改善した伝送系の利用も、有益である。
【００１１】
専用伝送回線は、任意であるから詳細な説明を省略するが、例えば１６ペアまたは３２ペアのパラレル系が利用可能である。
【００１２】
出力インタフェースとしては、例えばＳＤＸＣ（ＳＤ eXtended Capacity）カード等の記録媒体と、例えばＵＨＳ（Ultra High Speed）１０４（ＵＳＨ−Ｉ）等の通信インタフェースと、を適用することで、１００ＭＢ／秒程度の読み出し（転送）速度を得ることができる。出力インタフェースとしてはまた、ＩＥＥＥ  ８０２．１１ｇ／ｎ等に準拠するＷｉＦｉ（Wireless Fidelity）規格に準拠したインタフェースを適用することで、最大で、３００ＭＢ／秒程度の転送（読み出し）速度が実現できる。
【００１３】
ソース機器２０１としては、例えば撮像装置（ビデオカメラ）やグラフィカルシステム（画像出力向けコンピュータ）、カードリーダ（ＳＤＸＣカードリーダ）、４ｋ（８ｋ）映像の映像信号を受信可能な受信装置（ＳＴＢ，Set Top Box）等がある。
【００１４】
アダプター１０１は、信号分割部１１１が所定数（伝送可能な最小分割数）に分割した４ｋ映像や８ｋ映像を、分割数に対応する出力ポート１１１−１，１１１−２，・・・，１１１−ｎ（ｎは、整数）と接続する所定数（伝送可能な最小分割数）のＨＤＭＩケーブル１，２，・・・，ｎにより、シンク機器３０１の信号合成部３１１に供給（伝送）する。なお、ＨＤＭＩケーブル１，２，・・・，ｎは、例えばバージョン１．４ｂである場合、ケーブル１本あたりの伝送可能な上限の映像信号のフレームレートは、現行のフルハイビジョン規格の映像信号（画素数１９２０×１０８０）において、６０Ｈｚ（＠６０Ｈｚ）である。このため、例えば画素数が等しい３Ｄ映像については、フレームレートは３０Ｈｚ（＠３０Ｈｚまたは「ｉ（interlace）」に制限される（バージョン１．４ｂのＨＤＭＩケーブルでは、フルハイビジョン規格の３Ｄ映像信号は、フレームレートが＠６０Ｈｚであるため、伝送できない）。この制限は、映像周波数が６０Ｈｚである４ｋ映像（画素数３８４０×２１６０）や８ｋ映像（画素数７６８０×４３２０）においても同様であるから、信号分割部１１１において、ＨＤＭＩ１．４ｂで対応可能な４ｋ＠３０Ｈｚまでの帯域内に収まるように、入力信号（映像信号、オーディオ信号及び制御信号）を所定数（伝送可能な最小分割数）に、分割する。
【００１５】
信号分割部１１１は、例えば入力信号が４ｋ映像（３８４０×２１６０＠６０Ｈｚ）である場合、例えば２組の３８４０×２１６０＠３０Ｈｚに、分割する。また、入力信号が８ｋ映像（７６８０×４３２０＠６０Ｈｚ）である場合、例えば４つの３８４０×２１６０＠３０Ｈｚに、分割する。なお、分割数は、上述の伝送可能な最小分割数の範囲内であればよく、例えば４ｋ映像（３８４０×２１６０＠６０Ｈｚ）を、例えば４つの１９２０×１０８０＠３０Ｈｚに、分割してもよい。
【００１６】
信号分割部１１１はまた、（信号分割部１１１の）個々の出力ポートと接続する所定数の現行のＨＤＭＩ１．４ｂ規格に対応するＨＤＭＩケーブルを通じて、所定数に分割した入力信号をシンク機器３０１に対して送信する送信部として機能する。
【００１７】
シンク機器３０１は、例えば現行のフルハイビジョン（１９２０×１０８０）規格の映像の２倍または４倍程度の帯域の信号を用いる新たな映像規格に適合した映像信号から映像を再生（表示）するモニタ装置や、テレビジョン放送受信再生装置（以下テレビ装置と称する）であり、例えば４ｋ映像（３８４０×２１６０）や８ｋ映像（７６８０×４３２０）を表示（再生）できる。
【００１８】
シンク機器３０１は、上述の任意数の入力ポート３１１−１，３１１−２，・・・，３１１−ｎにより受信した映像信号を、信号合成部３１１において合成する。すなわち、信号合成部３１１は、信号分割部１１１（アダプター１０１）のそれぞれの出力ポートと接続する所定数の現行のＨＤＭＩ１．４ｂ規格に対応するＨＤＭＩケーブルを経由してアダプター１０１から供給される、（アダプター１０１が送信した）所定数の映像信号を受信する受信部として機能する。従って、信号合成部３１１は、ソース機器２０１からの、例えば４ｋ映像や８ｋ映像を、現行規格の複数のＨＤＭＩケーブル１，２，・・・，ｎの並列利用により受信し、合成して、表示（再生）できる。なお、入力ポート３１１−１，３１１−２，・・・，３１１−ｎには、それぞれ、ＥＤＩＤ（Extended Display Identification Data）−１，−２，・・・，−ｎ（ｎは、整数）が付属する。
【００１９】
図２に、アダプターの起動時（電源ＯＮ時）のシーケンスを示す。
【００２０】
アダプター１０１（及びシンク機器３０１）を起動する（２０１［２０１−１，２０１−２，・・・，２０１−ｎ］）と、アダプター１０１は、各出力ポート１１１−１，１１１−２，・・・，１１１−ｎ及び接続されているＨＤＭＩケーブル１，２，・・・，ｎを経由して、シンク機器３０１の認証を開始する。すなわち、シンク機器が信号合成部３１１（ＨＤＭＩ信号を合成する機能）を有することを、例えば図７に示すようなＥＤＩＤ−１，−２，・・・，−ｎの参照、等により、確認する。より具体的には、アダプター１０１は、シンク機器３０１の各入力ポート３１１−１，３１１−２，・・・，３１１−ｎのＥＤＩＤ（−１，−２，・・・，−ｎ）を読み取り、シンク機器３０１が、所定数に分割して入力される映像信号（入力信号）を合成する機能を保持することを確認する（２０２［２０２−１，２０２−２，・・・，２０２−ｎ］）。
【００２１】
シンク機器３０１が、分割して入力される映像信号を合成する機能を保持することが確認できた場合、アダプター１０１は、シンク機器３０１に、分割した映像信号の分割方法、送信順、等に関する情報、例えば「接続情報通知」を送信し、シンク機器３０１の信号合成部３１１を、分割送信が可能なスタンバイ状態に遷移させる（２０３［２０３−１，２０３−２，・・・，２０３−ｎ］）。「接続情報通知」は、図８に一例を示すが、例えばベンダ（Vendor）独自コードを用いて、実現することも可能である。
【００２２】
「接続情報通知」は、例えば    
・ＨＤＭＩ出力ポートに割り付けられた物理アドレス（Ｐｈｉｓｉｃａｌ  Ａｄｄｒｅｓｓ）    
・映像信号の分割数（１分割あたりの情報量（サイズ））
・映像信号の分割方式    
・送信順（順番情報）    
等、である。
【００２３】
また、映像信号の分割数（分割方式）としては、    
フレームレート（映像周波数）を単位として分割する    
垂直方向で分割する    
水平方向で分割する    
垂直方向及び水平方向のそれぞれで分割する    
１ライン（またはピクセル）ごとに分割する    
等、が実現可能である。
【００２４】
なお、分割数は、上述した通り、信号分割部１１１において、ＨＤＭＩ１．４ｂで対応可能な４ｋ＠３０Ｈｚまでの帯域内に収まるように、入力信号（映像信号、オーディオ信号及び制御信号）を所定数（伝送可能な最小分割数）に、分割すればよく、例えば４ｋ映像（３８４０×２１６０＠６０Ｈｚ）を現行のＨＤＭＩ１．４ｂに対応するＨＤＭＩケーブルで送信するためには、分割数は、２となる。
【００２５】
上述の接続通知情報は、図８により後段に詳述する「ＩｎｆｏＦｒａｍｅ」として、シンク機器３０１に供給される。「ＩｎｆｏＦｒａｍｅ」は、信号分割部１１１の出力ポートのそれぞれから出力されることにより、分割されたＨＤＭＩ出力の物理アドレス（Ｐｈｉｓｉｃａｌ  Ａｄｄｒｅｓｓ）を、個々の出力ごとに、含む。
【００２６】
図３は、図２で示したシーケンスで動作するアダプターの電源ＯＮ（起動）時の動作の一例（フローチャート）を示す。
【００２７】
アダプター１０１の個々の出力ポート（１〜ｎ）の電源がオン（ＯＮ）に続いて、シンク機器３０１の個々の入力ポート３１１−１，３１１−２，・・・，３１１−ｎのＥＤＩＤ（−１，−２，・・・，−ｎ）のＥＤＩＤを読み込む。すなわち、シンク機器３０１が、所定数に分割して入力される映像信号（入力信号）を合成する機能を保持することを確認する［４０１］。
【００２８】
次に、（シンク機器３０１が）分割受信に対応していること（分割受信対応か否か）を検出する［４０２］。
【００２９】
シンク機器３０１が分割受信に対応していることが検出できた場合［４０２−ＹＥＳ＜対応＞］、複数の出力ポートの全てについて、接続情報通知を送信する［４０３］。
【００３０】
シンク機器３０１が分割受信に対応していない（非対応である）ことが検出できた場合［４０２−ＮＯ＜非対応＞］、分割送信を中止する。なお、分割送信の中止時には、例えば『分割送信できません』等の非対応機器向けのメッセージ（アラート）を、シンク機器３０１に表示させることも可能である。
【００３１】
図４は、シンク機器３０１の電源ＯＮ（起動）時の動作の一例（フローチャート）を示す。
【００３２】
シンク機器３０１（信号合成部３１１）は、アダプター１０１の各出力ポートからの接続情報通知を受信する［５０１］。
【００３３】
シンク機器は、受信した接続情報通知に基づいて、正しい接続情報を受信できたこと（接続情報が正しく受信できたか否か）を検出する［５０２］。
【００３４】
正しい接続情報を受信できた場合［５０２−ＹＥＳ＜正しい接続＞］、信号合成部３１１において、複数の接続ポートを１つの接続としてみなし、アダプター１０１からの分割送信を受けつける［５０３］。
【００３５】
接続端子が異なる、等、意図しない接続構成でアダプター１０１から接続情報通知を受信した場合、ディスプレイ装置（シンク機器３０１の表示部）に、個々のケーブルを正しく接続するよう、に提示する。なお、接続端子が異なることは、例えば各ポートの物理アドレスを、アダプターとシンク機器（テレビ装置）との間でやりとりすることで、ポートを特定するできる。すなわち、アダプター（ソース機器）１０１から、図８で定義したフォーマットの「ＩｎｆｏＦｒａｍｅ」を各ポートにおいて受信することで、アダプター機器から送信された出力ポートの物理アドレス（Ｐｈｉｓｉｃａｌ  Ａｄｄｒｅｓｓ）がわかる。「ＩｎｆｏＦｒａｍｅ」は、後段に説明する順番情報も含む。従って、受信した「ＩｎｆｏＦｒａｍｅ」と「ＩｎｆｏＦｒａｍｅ」に基づいて特定できる送信側の出力ポートの物理アドレスを元に、個々のＨＤＭＩケーブルが正しくシンク機器（テレビ装置）の信号合成部３１１の各ポートに接続されたか否か（接続が正しいこと）を、シンク機器（テレビ装置）において、検知できる。これにより、例えば接続端子が異なること（ＨＤＭＩケーブルの接続間違い）を検出した場合には、ユーザに、ＨＤＭＩケーブル正しく接続するよう提示できる［５０４］。即ち、ケーブル４本を用いて伝送する場合を例に挙げると、アダプター機器１０１のポート１１１−１からのストリームをシンク機器３０１のポート３１１−１で、ポート１１１−２からのストリームをポート１１１−３で、ポート１１１−４からのストリームをポート３１１−４で受信するよう設定されているとする。ここで、シンク機器３０１は、上記の４ポートとは異なるポート（例えばポート３１１−５）で、ポート１１１−１，２，３，４の何れかのアドレスを含むＩｎｆｏＦｒａｍｅを含むストリームを受信すると、間違ったポートにケーブルが接続されていると判別する。また、シンク機器３０１は、各ポートで受信したアドレスに、階層の異なるアドレス（０でない数字が含まれる桁が異なるアドレス）が含まれる場合、ケーブルの接続関係が間違っていると判別しても良い。即ち、例えばシンク機器３０１がポート３１１−１で（１．０．０．０）、ポート３１１−２で（２．０．０．０）、ポート３１１−３で（３．０．０．０）、ポート３１１−４で（４．１．０．０）のアドレスを受信した場合、ポート３１１−１、２及び３にはアダプター機器１０１が中継機器を介さず接続されており、ポート３１１−４には１台の中継機器を介してアダプター機器１０１が接続されていると認識できる。中継機器を介してアダプター機器１０１が接続されていると、該中継機器による伝送遅延が発生する恐れがある。このためシンク機器３０１は、あるポートで受信したアドレスが示す階層が他のポートで受信したアドレスと異なる場合、あるポートに中継機器が接続されていることを示す通知を提示してもよい。また、シンク機器３０１は、上記のアダプター機器１００のポート１１１−１，２，３及び４からのストリームをポート３１１−１，２，３及び４で受信している場合であっても、例えばポート１１１−３からのストリームをポート３１１−４で受信した場合には、間違ったケーブル接続であると判別して通知しても良���。但し、シンク機器３０１は、ポート１１１−３からのストリームをポート３１１−４で受信した場合に、ストリームに含まれる順番情報に基づいて、他のポートで受信した映像と入れ替えて結合させても良い。この場合通知は不要である。
【００３６】
図５−図８に、「信号分割機能」として、４ｋ２ｋ＠６０Ｈｚ  Ｙ／Ｃｂ／Ｃｒ  ８ｂｉｔ（４：１：１）ビデオフォーマットの画素情報を、２９７ＭＨｚのＨＤＭＩ伝送８ビット３チャンネルのに振り分けて伝送する方式について、説明する。図５は、アダプターの電源ＯＮ（起動）時の動作の一例（フローチャート）を、図６は、シンク機器の電源ＯＮ（起動）時の動作の一例（フローチャート）を、それぞれ、示す。図７は、シンク機器３０１のＥＤＩＤ表記例を、図８は、アダプターから送信する「ＩｎｆｏＦｒａｍｅ」に該当するフォーマットの例を、それぞれ、示す。
【００３７】
図５に示す通り、アダプター１０１の個々の出力ポート（１〜ｎ）の電源がオン（ＯＮ）に続いて、シンク機器３０１の個々の入力ポート３１１−１，３１１−２，・・・，３１１−ｎのＥＤＩＤ（−１，−２，・・・，−ｎ）のＥＤＩＤを読み込む。すなわち、シンク機器３０１が、所定数に分割して入力される映像信号（入力信号）を合成する機能を保持することを確認する［６０１］。
【００３８】
次に、（シンク機器３０１が）分割受信に対応していること（分割受信対応か否か）を検出する［６０２］。
【００３９】
シンク機器３０１が分割受信に対応していることが検出できた場合［６０２−ＹＥＳ＜対応＞］、シンク機器３０１へ送信する「ＩｎｆｏＦｒａｍｅ」に、該当するフォーマットを記載し、シンク機器３０１に伝送する［６０３］。なお「ＩｎｆｏＦｒａｍｅ」は、各出力ポートから出力される。また、「ＩｎｆｏＦｒａｍｅ」は、映像ストリーム中の、例えば水平ブランキング領域や垂直ブランキング領域等に挿入されるデータである。
【００４０】
シンク機器３０１が分割受信に対応していない（非対応である）ことが検出できた場合［６０２−ＮＯ＜非対応＞］、分割送信を中止する。なお、分割送信の中止時には、例えば『分割送信できません』等の非対応機器向けのメッセージ（アラート）を、シンク機器３０１に表示させることも可能である。
【００４１】
図６は、シンク機器３０１の電源ＯＮ（起動）時の動作の一例（フローチャート）を示し、シンク機器３０１（信号合成部３１１）は、アダプター（ソース機器）１０１から、図８で定義したフォーマットの「ＩｎｆｏＦｒａｍｅ」を各ポートにおいて受信し、アダプターが送信する映像信号のＶＩＣ（Video Information Code）フォーマット（映像フォーマット）を特定する［７０１］。
【００４２】
シンク機器は、受信した「ＩｎｆｏＦｒａｍｅ」が示す映像フォーマットが分割対応フォーマットであること（分割対応フォーマットであることが示されているか否か）を検出する［７０２］。
【００４３】
分割対応フォーマットであることを検出できた場合［７０２−ＹＥＳ＜分割フォーマット＞］、受信した複数のポートからのそれぞれの信号を、信号合成部３１１において合成する［７０３］。
【００４４】
分割対応フォーマットに非対応であることを検出できた場合［７０２−ＮＯ＜非分割フォーマット＞］、従来の方法で表示する［７０４］。
【００４５】
図７は、シンク機器３０１のＥＤＩＤ表記例を示し、例えばベンダ（Vendor）独自コードであることの表示（０列め）、４列めの「信号分割機能対応」、５列めの「分割対応フォーマット」、６列めの「分割対応コネクタ数」、７列め以降の「ＶＩＣ（Video Information Code）フォーマット情報」等を用意し、シンク機器３０１において、分割された映像信号を受信可能であることをアダプター１０１において判別させることが可能である。
【００４６】
図８は、アダプターが各ポートから送信する「ＩｎｆｏＦｒａｍｅ」に該当するフォーマットの例であり、Ｐａｃｋｅｔ  Ｂｙｔｅ列として表示する、例えば５列め（ＰＢ４）の「信号分割機能対応」、６列目（ＰＢ５）の「Ｐｈｉｓｉｃａｌ  Ａｄｄｒｅｓｓ」、７列め（ＰＢ６）の「分割数」、８列め（ＰＢ７）の「分割方式」及び９列め（ＰＢ８）の「順番情報（送信順）」等を用意し、シンク機器３０１に、フォーマットが示す規則に従い分割された映像信号を送信することが可能である。
【００４７】
「Ｐｈｉｓｉｃａｌ  Ａｄｄｒｅｓｓ」は、各出力ポートに割り当てられたＨＤＭＩの物理アドレスを示す。
【００４８】
順番情報は、各出力ポートが出力する「ＩｎｆｏＦｒａｍｅ」を送信する送信順を含む。送信順は、「ＩｎｆｏＦｒａｍｅ」が各出力ポートからそれぞれ送信されることにより、出力ポートの物理アドレス（Ｐｈｉｓｉｃａｌ  Ａｄｄｒｅｓｓ）と関連づけられる。
【００４９】
順番情報は、例えば分割数が「２」で、分割方式が「上下（垂直方向）」である場合の「上」画像・「下」画像の送信順、分割数が「２」で、分割方式が「左右（水平方向）」である場合の「左」画像・「右」画像の送信順、分割数が「４」で、分割方式が「上下左右（垂直方向及び水平方向のそれぞれ）」である場合の「上」画像・「下」画像・「左」画像・「右」画像の送信順、等をシンク機器に通知する。
【００５０】
これにより、シンク機器において、個々のＨＤＭＩ出力が分割方式と異なる順で受信された場合には、例えばＨＤＭＩケーブルの接続間違い、等を検出できる。
【００５１】
このように、実施形態を適用するアダプターは、現行のＨＤＭＩ１．４ｂで対応可能な４ｋ＠３０Ｈｚまでの帯域内に収まるように、入力信号（映像信号、オーディオ信号及び制御信号）を所定数（伝送可能な最小分割数）に分割して、シンク機器に伝送できる。すなわち、専用の伝送規格及び伝送ケーブルを用いることなく現行の映像信号、オーディオ信号及び制御信号を伝送する規格及び伝送ケーブルにより、より高速に、より情報量の多い映像信号、オーディオ信号及び制御信号を伝送可能となる。
【００５２】
なお上記の実施形態においては、ＩｎｆｏＦｒａｍｅを用いて接続情報通知を行っていたが、ソース機器１０１は、各ポートから、該ポートの物理アドレス、映像信号の分割数（１分割あたりの情報量（サイズ））、映像信号の分割方式、送信順（順番情報）、を含むＣＥＣメッセージを送信することにより接続情報通知を行っても良い。
【００５３】
また、４ｋ２ｋ（３８４０×２１６０）＠６０Ｈｚの映像信号を分割する例を示したが、８ｋ４ｋ、等、異なるフォーマットの映像信号についても同様に伝送可能である。なお、アダプターにおいては、４ｋ＠３０Ｈｚまでの帯域内に収まるように、入力信号（映像信号、オーディオ信号及び制御信号）を分割することにより、例えば４組の現行のＨＤＭＩ１．４ｂに対応するＨＤＭＩケーブルを用いて、２組の４ｋ２ｋ（３８４０×２１６０）＠６０Ｈｚの映像信号を伝送することも可能である。従って、例えば８ｋ４ｋの映像信号への対応を想定して８組のＨＤＭＩ１．４ｂに対応するケーブルを装着かのうであれば、４組の４ｋ２ｋ（３８４０×２１６０）＠６０Ｈｚの映像信号を伝送することも可能である。
【００５４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
2015106825.tif 000003
【図２】
2015106825.tif 000004
【図３】
2015106825.tif 000005
【図４】
2015106825.tif 000006
【図５】
2015106825.tif 000007
【図６】
2015106825.tif 000008
【図７】
2015106825.tif 000009
【図８】
2015106825.tif 000010